【事件の表示】
　特許第２７１８６５７号「キッチン用シンク」の請求項１ないし２に係る特許に対する特許異議の申立てについて、次のとおり決定する。
【結論】
　訂正を認める。
　特許第２７１８６５７号の請求項１ないし２に係る特許を維持する。
【理由】
Ｉ．手続の経緯
　本件特許第２７１８６５７号の請求項１〜２に係る発明の出願は、出願日が平成１年７月３１日である実願平１−９０８４０号を特許出願に出願変更したものであり、平成９年１１月１４日にその特許の設定登録がなされ、その後、外崎文子、有限会社エム・アイ・ピー・オー、尾崎三喜子及び樋口守孝より異議の申立がなされ、当審において取消理由通知をなしたところ、その指定期間内の平成１１年４月２０日に訂正請求がなされ、さらに訂正拒絶理由をなしたところ、その指定期間内の平成１１年１０月１日に手続補正がなされたものである。
ＩＩ．訂正の適否の判断
　１．訂正請求に対する補正の適否について
　特許権者が求める補正は、
１）訂正明細書の特許請求の範囲の請求項１に、「前記ベースをシンク奥側のレベルよりも低くするとともに左右のベースの高さを同一とし排水口を設けた膨出部を跨いでトレーをセット可能な構造とし、」の記載を付加すると共に、
２）訂正明細書の段落【００１１】の【課題を解決するための手段】にも、上記１）と同様の記載を付加するものである。
　上記補正について検討すると、１）の補正は、補正前のベースの記載を限定するものであって、特許請求の範囲の減縮に相当するものであり、２）の訂正は、上記特許請求の範囲の補正に整合させて明細書の発明の詳細な説明の記載を補正するものであって、明りようでない記載の釈明に相当すると認める。
　したがって、１）、２）の補正は、訂正請求書の要旨を変更するものではないから、特許法第１２０条の４第３項で準用する同法第１３１条第２項の規定に適合するので、採用する。
　２．訂正請求の適否について、
　イ）訂正請求の内容
　特許権者が求める補正された訂正請求は、
１）特許設定登録時の特許明細書の特許請求の範囲の請求項１の記載を、
「シンクの奥側の左右コーナー部に、カウンターに組付けられたシンク奥側のレベルよりも低くなるように段差を持たせて形成されたベースを突設し、該ベースに挟まれたシンク奥側を後方に突き出した膨出部に排水口の全体または一部を設け、前記ベースをシンク奥側のレベルよりも低くするとともに左右のベースの高さを同一とし排水口を設けた膨出部を跨いでトレーをセット可能な構造とし、さらに前記ベースの一方に水栓を設けたことを特徴とするキッチン用シンク。」
に訂正し、
２）同明細書の段落【００１１】の【課題を解決するための手段】の記載を、特許請求の範囲の訂正に合わせ、
「本発明は、シンクの奥側の左右コーナー部に、カウンターに組付けられたシンク奥側のレベルよりも低くなるように段差を持たせて形成されたベースを突設し、該ベースに挟まれたシンク奥側を後方に突き出した膨出部に排水口の全体または一部を設け、前記ベースをシンク奥側のレベルよりも低くするとともに左右のベースの高さを同一とし排水口を設けた膨出部を跨いでトレーをセット可能な構造とし、さらに前記ベースの一方に水栓を設けたことを特徴とする。」
に訂正するものである。
　上記訂正について検討すると、１）の訂正は、訂正前の「カウンターのレベルよりも低くなるように段差を持たせて形成されたベース」の記載をを「カウンターに組付けられたシンク奥側のレベルよりも低くなるように段差を持たせて形成されたベース」に訂正し、さらに上記１．１）の記載を付加してすることで、ベースの記載を限定するもので、特許請求の範囲を減縮するものに相当するものであり、２）の訂正は、上記特許請求の範囲の訂正に整合させて明細書の発明の詳細な説明の記載を訂正するものであって、明りようでない記載の釈明に相当すると認める。
　ロ）新規事項及び拡張・変更の有無について
　上記１）、２）の訂正は、願書に添付した明細書又は図面に記載した事項の範囲内においてなされたものであり、又、実質上特許請求の範囲を拡張し、又は変更するものでもない。
　ハ）独立特許要件について
（本件発明）
　本件発明は、補正された訂正明細書の特許請求の範囲の請求項１〜２に記載された次のとおりのものである。
　【請求項１】シンクの奥側の左右コーナー部に、カウンターに組付けられたシンク奥側のレベルよりも低くなるように段差を持たせて形成されたベースを突設し、該ベースに挟まれたシンク奥側を後方に突き出した膨出部に排水口の全体または一部を設け、前記ベースをシンク奥側のレベルよりも低くするとともに左右のベースの高さを同一とし排水口を設けた膨出部を跨いでトレーをセット可能な構造とし、さらに前記ベースの一方に水栓を設けたことを特徴とするキッチン用シンク。
　【請求項２】前記ベースのもう一方に水石鹸用のディスペンサを備え付けたことを特徴とする請求項１記載のキッチン用シンク。
（引用刊行物に記載された発明）
　訂正取消理由通知で引用された刊行物１（特開平１−１８７２３５号公報）、刊行物２（実願昭４６−１０８６５０号（実開昭４８−６３１５１号公報）のマイクロフイルム）、刊行物３（実願昭５７−１４５１１号（実開昭５８−１２０２８１号公報）のマイクロフイルム）の記載事項は、以下のとおりである。
　［刊行物１］
　「本発明は、フロアキャビネットにシンク等の機器を含むカウンターを載せた構成の厨房設備に関する。」（１頁左下欄１７行〜同１９行）、
　「本発明は、シンクに対する配管位置を限られた空間に封じ込めてその他のキャビネット奥側を収納部として有効に利用できるようにすることを目的とする。」（２頁右上欄１０行〜同１３行）、
　「第３図において、・・・フロアキャビネット１の上にカウンター２が取り付けられ、適切な位置にシンク３及び調理器具４及び・・・が配置されている。」
　「シンク３の奥側には、排水口５が左端に偏って設けられている。この排水口５は、シンク３の奥側の縁を背部方向に膨らませた膨出部３ａの領域に含まれ、・・・また、膨出部３ａの右側には、カウンター２の上面よりも僅かに低い水栓取付用のベース６を形成している。ベース６は、平坦な上端面を持ち、シンク３の間口方向のほぼ中央に水栓取付口６ａを開けている。そして、この水栓取付口６ａには、第２図に示すような水栓７が取り付けられる。」（２頁右下欄８行〜同１８行）、
　「第２図において、シンク３の排水口５に接続した床排水型の排水管５ａ及び水栓７への給水、給湯管の両方を備えた壁給水型の供給配管７ａは、いずれもフロアキャビネット１の奥側に配管されている。」（３頁左上欄２行〜同６行）、
　「収納キャビネット８は、従来品のフロアキャビネットの奥行き全体の容量を持つものとなり、シンク３の下の空間を収納部として十分に活用できる。」（３頁右上欄１８行〜同左下欄１行）。
　［刊行物２］
　「本考案は、水槽を有する流し台に関し、その目的とするところは、水槽の内部を有効に使用することができるように改良した流し台を提供（する）ことである。・・・第１図において符号１は、たとえばステンレス鋼のような適当な板材によって構成された水槽を示す。この水槽１は、最も手前に位置する側壁１ａ、左右の側壁１ｂおよび１ｃ、前方に位置する側壁１ｄおよび底壁１ｅを有する。そして前方に位置する側壁１ｄの中央部には、ほぼ半円形の横断面を有する凹所２が上下方向に延びるように形成されており、この凹所２の底面に位置して底壁１ｅに排水口３が開口されている。・・・このように構成された水槽１を備えた流し台においては、食器などを水槽１の底面に並べた状態でも、凹所２内に位置する排水口３の一部または全部が閉じられることはなく、常に所期の排水能力を発揮するので、水槽１の底壁１ｅをそのほぼ前面にわたって有効に利用することができる。」（１頁９行〜２頁１３行）。
　［刊行物３］
　「本考案は流し台、特に流し台内に洗面ボール等を容易に載置できるように構成した流し台に関する。」（１頁１５行〜同１７行）、
　「また、流し部（５）後方側には各リム部分より所要量低い位置であって中段状にデッキ部（６）が設けられ、さらに同デッキ部（６）の中央部には流し部（５）深さと略同一底面を有して部分円筒状膨出部（７）が設けられている。・・・洗い桶等を流し部（５）内に置く場合に同洗い桶を流し部（５）内の内奥部に達することができるようになっている。」（３頁４行〜同１７行）、
「また、（８）はデッキ部（６）上であって部分円筒状膨出部（７）の口縁に沿う位置に取付けられる給水栓であり」（４頁４行〜同６行）、
　「さらにデッキ部（６）の両側方側は比較的広い面積を供することができるので同部分に洗剤等を置くことができるものである。」（５頁８行〜同１１行）。
（対比・判断）
　１）先ず、本件請求項１に係る発明と刊行物１〜３記載の発明とを対比・検討する。
　刊行物１記載の「厨房設備」は、本件請求項１に係る発明の「キッチン用設備」に相当するから、刊行物１には、「シンクの奥側の左コーナー部を除いた部分に、カウンターに組付けられたシンク奥側のレベルよりも低くなるように段差を持たせて形成されたベースを突設し、該ベースとシンク側壁に挟まれたシンク奥壁を後方に突き出した膨出部に排水口の全体が含まれるように設け、さらにシンクの間口方向のほぼ中央部のベースに水栓を設けたキッチン用シンク。」、の発明が記載されている。
　また、刊行物２記載の「水槽」、「凹所」は、それぞれ本件請求項１に係る発明の「シンク」、「膨出部」に相当するから、刊行物２には、「シンクの奥側の左右コーナー部に、シンク奥側を後方に突き出した膨出部に排水口の全体または一部を設け、食器などをシンクの底面に並べた状態でも前記膨出部内に位置する排水口の全体または一部が閉じられることなく、常に所期の排水能力を発揮できるシンク。」、の発明が記載されている。
　さらに、刊行物３記載の「流し部」、「デッキ部」、「給水栓」は、それぞれ本件請求項１に係る発明の「シンク」、「ベース」、「水栓」に相当するから、刊行物３には、「シンクの奥側の左右コーナー部に、シンク奥側のレベルよりも低くなるように段差を持たせて形成されたベースを突設し、該ベースに挟まれたシンク奥側を後方に突き出した膨出部を設けて洗い桶等をシンクの内奥部に達することができるようにし、さらに前記ベースの一方に水栓を設けたシンク。」、の発明が記載されている。
　しかしながら、刊行物１〜３のそれぞれには、シンクに膨出部を設けることが記載されているが、本件請求項１に係る発明の「ベースをシンク奥側のレベルよりも低くするとともに左右のベースの高さを同一とし排水口を設けた膨出部を跨いでトレーをセット可能な構造とし、」の構成（以下、特徴構成という）は、記載されても示唆されてもいない。
　そして、本件請求項１に係る発明は、上記特徴構成を主要な構成要件とすることにより、明細書段落【００２８】に記載されたような「排水口３ａを設けた側の膨出部６を跨いで洗剤やスポンジ等を載せるトレー２をセットすれば、このトレー２０は浮いた状態になるのでその真下の排水口３ａに向けての水切りも速やかに行われる」という効果を奏するものである。
　したがって、本件請求項１に係る発明は、刊行物１〜３記載の発明に基づき当業者が容易に発明をすることができたものではない。
　２）また、請求項１を引用するものである、本件請求項２に係る発明も、上記請求項１に係る発明と同様に刊行物１〜３記載の発明に基づき当業者が容易に発明できたものではない。
（むすび）
　以上、上記訂正は、特許法等の一部を改正する法律（平成６年法律第１１６号）附則第６条第１項の規定によりなお従前の例によるとされる、特許法第１２０条の４第２項、同条第３項において準用する平成６年改正前同法第１２６条第１−３項の規定に適合するので、当該訂正を認める。
ＩＩＩ．特許異議申立てについての判断
（本件発明）
　本件請求項１、２に係る発明は、上記ＩＩ．２．ハ）の（本件発明）で示す、補正された訂正明細書の特許請求の範囲の請求項１、２に記載されたとおりのものである。
（申立ての理由の概要）
　特許異議申立人外崎文子、同有限会社エム・アイ・ピー・オー、同尾崎三喜子及び同樋口守孝は、本件請求項１、２に係る発明は、下記の各証拠に記載された発明に基づいて、それぞれ当業者が容易に発明をすることができたものであるから、特許法第２９条第２項の規定に違反して特許されたものであり、特許法第１１３条第１項第２号の規定にしたがってその特許は取り消されるべきである旨主張している。
（提出証拠に記載された発明）
　各異議申立人が提出した証拠の記載事項は、以下のとおりである。
　１）外崎文子提出の証拠について
　・甲第１号証：実願昭４６−１０８６５０号（実開昭４８−６３１５１号公報）のマイクロフイルム
　「上記刊行物２の記載事項参照」
　・甲第２号証：特開平１−１８７２３５号公報
　「上記刊行物１の記載事項参照」
　・甲第３号証：実願昭５７−１４５１１号（実開昭５８−１２０２８１号公報）のマイクロフイルム
　「上記刊行物３の記載事項参照」
　・甲第４号証：実願昭４６−８０６４８号（実開昭４８−３７７６１号公報）のマイクロフイルム（以下、「刊行物４」という）
　流し台における組込式洗剤射出装置に関し、「本考案の目的は、流し台に洗剤タンクを内蔵し、押しボタンのワンタッチ操作によるポンプ作用によって、適宜に洗剤を射出しうるように構成して大量の食器等の洗浄作業を合理的かつ能率的に推進しうる流し台における組込式洗剤射出装置を提供することである。・・・（１）は洗剤の射出装置本体であって、流し台（２）の水槽部（３）の傍に組込まれている。」（１頁１６行〜２頁８行）」、の記載がある。
　２）有限会社エム・アイ・ピー・オー提出の証拠について
　・甲第１号証：特開平１−１８７２３５号公報
　「上記刊行物１の記載事項参照」
　・甲第２号証：実公昭５１−１１５５４号公報
　「上記外崎文子提出の甲第１号証に関する公告公報であって、同号証の記載事項参照」
　・甲第３号証：実願昭６０−１５２８５１号（実開昭６２−６０６６３号公報）のマイクロフイルム（以下、「刊行物５」という）
　流し台の水槽に関し、「奥行寸法の大なる大水槽部（２ａ）と、奥行寸法の小なる小水槽部（２ｂ）とを前縁を一線上に揃えっつ間口方向に連続して一つの水槽（２）を形成し、小水槽部（２ｂ）の底面を大水槽部（２ａ）の底面より上位に位置させ両水槽部（２ａ）（２ｂ）の間に段差（４）を形成すると共に、小水槽部（２ｂ）の背部に幅広の水平部（３）を形成し、該水平部（３）にカラン（１１）を配設するようにしたことを特徴とする流し台の水槽。」（実用新案登録請求の範囲）、「小水槽部（２ｂ）の間口は、大水槽部（２ａ）の奥行と略同一に形成されており、第１図に示すように水切カゴ（６）、ボール（７）・・・等を９０°転回することにより、大水槽部（２ａ）、小水槽部（２ｂ）のいずれにも装着して使用可能としている。」（第４頁第１３〜１８行）の記載がある。
　・甲第４号証：実開昭４８−３７７６１号公報
「上記外崎文子提出の甲第４号証の記載事項参照」
　３）尾崎三喜子提出の証拠について
　・甲第１号証：スイス特許第２７３０２７号公報（以下、「刊行物６」という）
　金属板製流し台に関し、「単一の図において立体的に示されている流し台は、高くなったへり１、へり１よりも低い、波形起伏をもつ置き台２、およびこれに並んですすぎ用流し３を有する。すすぎ用流し３の四角形の可使用空間の外に、４つの側壁の一つによって外側への湾曲部４が形成されており、その底に流し３からの排水口があるが、これは、図面では、排水口の上に立てられたスタンドパイプ５によって覆われている。」（２頁４〜１４行）、の記載がある。
　・甲第２号証：実願昭６０−１５２８５１号（実開昭６２−６０６６３号公報）のマイクロフイルム
　「上記有限会社エム・アイ・ピー・オー提出の甲第３号証の記載事項参照」
　・甲第３号証：特開平１−１８７２３５号公報
「上記刊行物１の記載事項参照」
　・甲第４号証：実開昭６２−１００１６４号公報（以下、「刊行物７」という）
　厨房用水切プレートに関し、第４図及び第６図には、「水栓の取付部がシンク外側のキャビネットより一段低くなっていること」、の記載がある。
　・甲第５号証：実願昭４６−８０６４８号（実開昭４８−３７７６１号公報）のマイクロフイルム
　「上記外崎文子提出の甲第４号証の記載事項参照」
　４）樋口守孝提出の証拠について
　・甲第１号証：実願昭５７−１４５１１号（実開昭５８−１２０２８１号公報）のマイクロフイルム
「上記刊行物３の記載事項参照」
　・甲第２号証：実願昭４６−１０８６５０号（実開昭４８−６３１５１号公報）のマイクロフイルム
「上記刊行物２の記載事項参照」
　・甲第３号証：特開平１−１８７２３５号公報
「上記刊行物１の記載事項参照」
　・甲第４号証：実願昭６２−１５５１６４号（実開平１−６１２６４号公報）のマイクロフイルム（以下、「刊行物８」という）
　厨房設備に関し、「また、第１のシンク１２及び第２のシンク１３のそれぞれの奥側には、水栓等の器具を固定するための取付ベース１７、１８が形成される。これらの取付ベース１７、１８はステップ１４と同じレベルであり、奥側の物品載置面１１へ向けて膨出している。そして、第１のシンク１２側の取付ベース１７には、水栓取付口１７ａ及びディスペンサ取付口１７ｂがそれぞれ開設され、第２のシンク１３側の取付ベース１８にも同様に水栓取付口１８ａを設けている。これらの各取付口１７ａ、１７ｂ、１８ａには、第１図に示すように水栓１９、ディスペンサ２０及び水栓２１がそれぞれ取り付けられる。」（９頁４行〜同１５行）、の記載がある。
（対比・判断）
　以下、本件請求項１、２に係る発明と上記特許異議申立人の提出した刊行物とを対比・検討する。
　刊行物１〜３については、上記ＩＩ．２．ハ）での検討を援用する。
　上記刊行物４記載の「洗剤の射出装置」、「流し台」は、それぞれ本件請求項２に係る発明の「水石鹸用のディスペンサ」、「キッチン用シンク」に相当するから、同刊行物には、「シンクのカウンターに水石鹸用のディスペンサを備え付けたキッチン用シンク。」、の発明が記載されている。
　また、上記刊行物５記載の「水槽」、「水平部」、「ボール」、「カラン」、「流し台」は、それぞれ本件請求項１に係る発明の「シンク」、「ベース」、「トレー」、「水栓」、「キッチン用シンク」に相当するから、同刊行物には、「大水槽部と小水槽部よりなるシンクの周囲をカウンターのレベルよりも低くなるように段差部を持たせ、該シンク奥側の約右半分に該段差部より高くカウンターのレベルよりも低いベースを突設し、前記小水槽部の段差部を跨いでトレーをセット可能な構造とし、さらに前記ベースに水栓を設けたキッチン用シンク。」、の発明が記載されている。また、上記刊行物６記載の「すすぎ用流し」、「置き台部」、「湾曲部」、「流し台」は、それぞれ本件請求項１に係る発明の「シンク」、「カウンター」、「膨出部」、「キッチン用シンク」に相当するから、同刊行物には、「シンクの奥側の左右コーナー部に、カウンターに組付けられたシンク奥側のレベルよりも低くなるように段差を持たせて形成されたベースを突設し、該ベースに挟まれたシンク奥側を後方に突き出した膨出部に排水口の全体を設けたキッチン用シンク。」、の発明が記載されている。
　上記刊行物７記載の「厨房用水切プレート」は、本件請求項１に係る発明の「トレー」に相当するから、同刊行物にはその図面の記載からみて、上記刊行物５と同様の発明、が記載されていると認める。
　上記刊行物８記載の「物品載置面」、「取付ベース」、「厨房設備」は、それぞれ本件請求項２に係る発明の「カウンター」、「ベース」、「キッチン用ベース」に相当するから、同刊行物には、「シンクの奥側に、カウンターに組付けられたシンク奥側のレベルよりも低くなるように段差を持たせて形成されたベースを突設し、さらに前記ベースに水栓及び水石鹸用のディスペンサを設けたキッチン用シンク。」、の発明が記載されている。
　そして、上記刊行物５及び７に記載の、トレーをセット可能にした、小水槽部の段差部構造は、本件請求項１に係る発明のように、シンクの奥側の左右コーナー部に形成されたベースを突設し、該ベースに挟まれたシンク奥側を後方に突き出した膨出部であってかつ該膨出口に排出口を設けた構造、とは相違するから、結局、刊行物４〜８には、ＩＩ．２．ハ）で検討した本件請求項１に係る発明の特徴構成は、記載されても示唆されてもいない。
（むすび）
　以上、特許異議申立ての理由及び証拠によっては、本件請求項１、２に係る発明の特許を取り消すことはできない。
　また、他に本件請求項１、２に係る発明の特許を取り消すべき理由を発見しない。
　よって、結論のとおり決定する。
【異議決定日】
平成１１年１２月７日（１９９９．１２．７）
【訂正の要旨】
（訂正の要旨）
　本件訂正は、特許請求の範囲の減縮及び明りようでない記載の釈明を目的として、願書に添付された明細書の記載を下記１）、２）のように訂正するものである。
１）特許請求の範囲の請求項１の記載を、
「シンクの奥側の左右コーナー部に、カウンターに組付けられたシンク奥側のレベルよりも低くなるように段差を持たせて形成されたベースを突設し、該ベースに挟まれたシンク奥側を後方に突き出した膨出部に排水口の全体または一部を設け、前記ベースをシンク奥側のレベルよりも低くするとともに左右のベースの高さを同一とし排水口を設けた膨出部を跨いでトレーをセット可能な構造とし、さらに前記ベースの一方に水栓を設けたことを特徴とするキッチン用シンク。」、
と訂正する。
２）明細書の段落【００１１】の【課題を解決するための手段】の記載を、
「本発明は、シンクの奥側の左右コーナー部に、カウンターに組付けられたシンク奥側のレベルよりも低くなるように段差を持たせて形成されたベースを突設し、該ベースに挟まれたシンク奥側を後方に突き出した膨出部に排水口の全体または一部を設け、さらに前記ベースの一方に水栓を設けたことを特徴とする。」
と訂正する。
（５４）【発明の名称】
キッチン用シンク
（５７）【特許請求の範囲】
　【請求項１】　シンクの奥側の左右コーナー部に、カウンターに組付けられたシンク奥側のレベルよりも低くなるように段差を持たせて形成されたベースを突設し、該ベースに挟まれたシンク奥壁を後方に突き出した膨出部に排水口の全体または一部を設け、
前記ベースをシンク奥側のレベルよりも低くするとともに左右のベースの高さを同一とし排水口を設けた膨出部を跨いでトレーをセット可能な構造とし、
　【請求項２】　前記ベースのもう一方に水石鹸用のディスペンサを備え付けたことを特徴とする請求項１記載のキッチン用シンク。
【発明の詳細な説明】
　　　【０００１】
　【発明の属する技術分野】
　本発明は、キッチンキャビネットに組み込まれるシンクに関する。
　　　【０００２】
　【従来の技術】
　キッチン用のシンクは、シングル又はダブル等のように槽の数を変えたり、深さにもバリエーションを持たせたものが従来から採用されている。これらのシンクは、食器等を洗うスペースを確保すること、排水が速やかに行われること及び水栓の使い勝手が良いこと等を基本思想として設計されている。
　　　【０００３】
　図８はシンクの従来のシングルタイプの典型的な例である。図示のように、キャビネット１の上に設けたカウンター２にシンク３が一体に組み込まれている。カウンター２はステンレス板又は人工大理石等によって成形され、奥行き寸法は６００ｍｍ程度を標準仕様とすることが一般的である。
　　　【０００４】
　シンク３に吐水するための単水栓又は湯水混合栓等の水栓４は、シンク３の奥側のカウンター２上に固定される。水栓４はそのスパウト４ａを首振り自在として吐水範囲を広くしているので、図８の（ａ）のようにシンク３のほぼ中央や、同図（ｂ）のように中央から少し偏らせた配置となっている。また、シンク３の底部には排水口３ａが開けられ、これをキャビネット１の中に配管した排水管（図示せず）に接続している。
　　　【０００５】
　【発明が解決しようとする課題】
　シンク３を使って食器や食品等を水洗いするときには、洗浄用のボールや鍋及び食器等をシンク３の中に置いて作業することが多い。この場合、ボールや食器等が排水口３ａの上に載ってこれを塞ぐことがあり、排水が流れ難くなる。このため、水洗い作業の邪魔になり、汚れた水に食器が浸りやすい。これを避けるためには、ボールや食器等を排水口３ａ側に置かなければよいが、シンク３の中に納められる量が少なくなり、使い勝手も悪くなる。
　　　【０００６】
　また、図９に示すように、キャビネット１の中には排水口３ａに接続した排水管３ｂが床排水又は壁排水型として設けられる。一方、排水口３ａは同図の（ａ）のようにシンク３の奥行き方向のほぼ中間に設けられ、シンク３の全体から速やかに排水できるようになっている。このため、排水口３ａに接続する排水管３ｂも、同図（ａ）のようにキャビネット１の奥行き方向の中間部を走る配管となる。なお、図示の例は床排水型であるが、壁排水型の場合であっても、同様にキャビネット１の中間部を配管が通る構造となる。
　　　【０００７】
　このように、排水管３ｂがキャビネット１の中の奥行き方向の中間部を走ると、排水管３ｂよりも奥側に品物を納めるのに都合が悪い。また、図９の（ｂ）のように、シンク３の中央部から奥側へ排水管３ｂを振って配管のみを後方側へ位置させた場合でも、排水管３ｂが下に突き出ているので、収納物の高さに制限を受ける。このため、たとえば米櫃や醤油壕等の収納がうまく行えず、キャビネット１の内部空間の有効利用に支障をきたす。
　　　【０００８】
　以上のように、従来のシンクでは、排水口が洗い物等によって塞がれやすく、キャビネットの内部の収納空間の有効利用にも障害を与えていた。
　　　【０００９】
　また、従来、水石鹸を供給する、いわゆるソープディスペンサや、シンク周りに備え付ける洗剤、あるいはタワシ・スポンジ類は、水栓の周囲に配置されるため、水栓が邪魔になり、使い難いという問題もある。
　　　【００１０】
　本発明において解決すべき課題は、排水口が塞がれることなく水洗い作業ができしかもキャビネットに内部空間も収納用として有効利用できるようにし、さらにシンク周りの備付け品の使い勝手を向上させることにある。
　　　【００１１】
　【課題を解決するための手段】
　本発明は、シンクの奥側の左右コーナー部に、カウンターに組付けられたシンク奥側のレベルよりも低くなるように段差を持たせて形成されたベースを突設し、該ベースに挟まれたシンク奥壁を後方に突き出した膨出部に排水口の全体または一部を設け、
前記ベースをシンク奥側のレベルよりも低くするとともに左右のベースの高さを同一とし排水口を設けた膨出部を跨いでトレーをセット可能な構造とし、
　　　【００１２】
　また、このような構成において、一対のベースのうち、水栓を固定しないもう一方に、水石鹸用のディスペンサを備え付けることもできる。
　　　【００１３】
　【発明の実施の形態】
　シンクの左右方向の内周壁に対して、後方に突き出した膨出部はその左右に位置しているベースによって隔てられ、大きな鍋を洗うようなときには、左右の内周壁に鍋に突き当たることなく膨出部にその一部を入り込ませるようなセットが可能となる。そして、ベースの一方にのみ水栓を設けるのであっても、大きな食器や鍋等を膨出部に合わせて位置させるようにすれば、片側配置の水栓でも十分に洗い物作業を行うことが可能となる。
　　　【００１４】
　また、膨出部の中に排水口の少なくとも一部が含まれるような配置とすることで、シンクの中に置いた洗い物が排水口に被さりにくくなり、速やかな排水が維持される。また、排水口をシンクの奥側に偏らせて配置できるので、この排水口に接続する排水管も奥側に位置させることができ、シンクの下にキャビネットを備えるような厨房設備の場合では、このキャビネットの内部の収納空間を広く活用できるものとなる。
　　　【００１５】
　【実施例】
　図１は本発明のキッチン用シンクの要部を示す斜視図、図２は平面図である。
　　　【００１６】
　従来例でも示したように、キャビネット１の上にカウンター２が固定され、カウンター２にはシンク３が組み込まれている。カウンター２の奥行き寸法は、従来の６００ｍｍ程度に対して６００〜８００ｍｍ程度まで長くし、シンク３の奥行きも従来品より長くなっている。
　　　【００１７】
　シンク３の奥側の左右コーナー部にベース５を設け、このベース５に挟まれたシンク３の奥壁を後方に突き出して膨出部６を形成している。ベース５は、カウンター２のレベルよりも少し低くなるように段差を持たせて形成され、右側のベース５に水栓４を立上げてそのスパウト４ａを首振り自在としてシンク３ａ側に突き出している。
　　　【００１８】
　ベース５の突き出し長さは、シンク３の全体の奥行き寸法が５００〜６００ｍｍ程度に対して、１００〜２００ｍｍ程度としている。ここで、ベース５の左右寸法を小さく抑えれば膨出部６が広くなるので、シンクの奥行きを広くすることができ、大きな中華鍋等もシンク３内で洗うことができる。また、水栓４を立ち上げない左側のベース５には、水石鹸用のディスペンサ７を設けている。
　　　【００１９】
　このように右側のベース５に水栓４を設け、また左側のベース５にソープディスペンサ７を設けることによって、シンク３での作業者の身体の中心線から左右の一方よりに水栓４が、もう一方よりにディスペンサ７が位置することになり、それぞれ使用時に一方が邪魔になることが無く、極めて使い勝手のよいものとなる。また、水栓４とディスペンサ７を離して設けることにより、二人ならんで共同して洗いものをすることができ、スキンシップのある作業ができる。
　　　【００２０】
　一対のベース５に挟まれた膨出部６は、ベース５の上端からシンク３の底面まで一様横断面を持っている。換言すると、シンク３の前端からベース５の前端までの長さが、従来のシンクとほぼ同じ程度であり、膨出部６はベース５部分を残して奥側ヘシンク３の内部を拡大したものである。そして、排水口３ａは膨出部６の中に含まれるように設けられている。
　　　【００２１】
　排水口３ａはその全体が膨出部６の中に含まれるようにするほか、洗浄用のボールや食器等が排水口３ａの全体に被さらない程度にその半分を膨出部６の中に納めるようにしてもよい。このように膨出部６の中に排水口３ａの全体又は半分以上を部分的に含ませておけば、食器やボール等をシンク３の中に置いても、前側に突き出したベース５の立上げ壁５ａに当たって排水口３ａに被さらない。このため、シンク３の中に多数の食器等を置いて水洗いしても、排水口３ａが塞がれることはなく、排水を速やかに送り出すことができる。
　　　【００２２】
　また、排水口３ａは、シンク３の奥側であって更に膨出部６の中に含ませるようにしているので、従来構造に比べると排水口３ａの位置を更に奥側へ移すことができる。すなわち、図３の縦断面図に示すように、奥行き寸法を図９の（ａ）及び（ｂ）で示した従来構造に比べて大きくすると共に、排水口３ａを膨出部６の中に納めたので、排水管３ｂの位置を奥側へずらすことができる。このため、排水管３ｂの手前を広く開けることができ、キャビネット１の収納機能を損ねることはない。
　　　【００２３】
　このように、シンク３を使っての洗い物作業が改善されるだけでなく、排水管３ｂも奥側へ移すことによってキャビネット１の収納空間を広げることができる。したがって、水洗い作業の使い勝手の向上とともに、キャビネット１も有効に利用でき、カウンター２及びキャビネット１の奥行きを大きくしたことによる利点が活かされる。
　　　【００２４】
　図４は別の例を示す要部の概略平面図であり、これは図１〜図３の例において示した水石鹸用のディスペンサ７を設備していないものである。
　　　【００２５】
　水栓４のベース５や膨出部６に対する配置は先の例と全く同様であるが、ディスペンサ７が膨出部６を挟んだ側に位置していないことから、水栓４のスパウト４ａを長くても、図において時計方向に回して左側のベース５の上に位置させても干渉を伴わない。このため、水栓４のスパウト４ａを長くした仕様とすることができ、カウンター２及びシンク３の奥行き寸法を大きくしていてもスパウト４ａを手前側に十分に繰り出すことができ、使い勝手の向上が図られる。
　　　【００２６】
　以上のように、左右に配置するベース５の間に膨出部６を形成することによって、シンク３の内部を広く使えるほか、排水口３ａが塞がれることなく排水が速やかに行われ、しかもキャビネット１の中も収納部として十分に活用することができる。
　　　【００２７】
　これに対して、図５に示すように、ベース５をシンク３の右端から間口方向の中央を超える部分まで形成し、膨出部６を左端部のみに設けるような場合でも、排水口３ａが洗い物に干渉しない点や、排水管を奥側配置とすることによってキャビネット内の収納空間を確保できるという点においては、本発明のシンクと同様の利点を持つ設備として使える。
　　　【００２８】
　また、図６及び図７に示すように、図１及び図２で示したベースと膨出部との位置関係を逆にしたシンクの場合でも、膨出部に排水口を位置させることによって、図５の場合と同様に排水口３ａの洗い物との干渉や排水管によるキャビネット１内の収納部への障害をなくすことができる。そして、図中に示すように、排水口３ａを設けた側の膨出部６を跨いで洗剤やスポンジ等を載せるトレー２０をセットすれば、このトレー２０は浮いた状態になるのでその真下の排水口３ａに向けての水切りも速やかに行われる。
　　　【００２９】
　このように図５〜図７の構成においてもそれぞれに好適な使い勝手が得られるが、図５の例では膨出部６はシンク３の左端の内周壁に沿う位置にあるので、たとえば円形の大きな鍋をシンク３の中に落とし込んでも、この鍋の縁部はシンク３の左側の内周壁に当たってしまい、奥側に開いた膨出部６は鍋の一部を収納する空間としては利用できない場合がある。これに対しても、図１〜図４の例では、膨出部６がシンク３の間口方向のほぼ中央に位置しているので、大きな鍋でもその奥側の一部をこの膨出部６の中に差し込むように置くことができ、膨出部６の空間を最適利用することができる。
　　　【００３０】
　そして、図６及び図７の例においても、左右の膨出部６はシンク３の左右の内周壁に沿う位置にあるので、図５の例の場合と同様に大きな鍋等の洗い物作業にはこれらの膨出部６を備えているにも拘わらず、これを最大限に活用するまでには至らないことにもなる。
　　　【００３１】
　このように、図５から図７に例示したものと比較してより一層明らかなように、シンク３の奥側の左右にベース５を設けてこれに挟まれた部分を膨出部６としてこれに含まれる部分に排水口３ａを備えるという構成は、シンク３を使っての洗い物において作業性や使い勝手の面で一様に優れていて、排水はその配管についても最も好ましいことが判る。
　　　【００３２】
　【発明の効果】
　本発明によって以下の効果を奏することができる。
　　　【００３３】
　（１）シンクの両奥側コーナーに設けたベースの一方に水栓を取付け、両べースの間に排水口を設けたので、シンクの前方を有効に使える。さらに、もう一方のベースには、洗剤やタワシ・スポンジ類をおいたり、石鹸のディスペンサの取付け用ベースとしたりと多くの用途に使用でき便利である。
　　　【００３４】
　（２）ベースの一方に水栓を、ベースのもう一方に水石鹸供給用のディスペンサを備えれば、シンクでの作業者の身体の中心線から左右の一方よりに水栓が、もう一方よりにディスペンサが位置することになり、それぞれ使用時に一方が邪魔になることが無く、極めて使い勝手のよいものとなる。また、水栓とディスペンサを離して設けることにより、二人ならんで共同して洗いものをすることができ、スキンシップのある作業ができる。
　　　【００３５】
　（３）排水口をシンク中央奥に設けたので、汚れた食器や洗い桶等で排水口が塞がれることも少なく、速やかに排水することができる。また、排水管をキャビネットの奥側に寄せることができ、キャビネット内への収納の邪魔にならず、収納量を確保できる。
【図面の簡単な説明】
　【図１】
　本発明のキッチン用シンクの要部を示す斜視図である。
　【図２】
　図１におけるシンク周りを示す概略平面図である。
　【図３】
　図１及び図２の例におけるシンクと排水管の接続構造であって、排水管のキャビネット内での位置を示すための要部の縦断面図である。
　【図４】
　水石鹸用のディスペンサを備えない設備とした例の概略平面図である。
　【図５】
　ベースをシンクの右端から幅方向の中央部を超える範囲までに形成し、膨出部をシンクの左端部に形成した例を示す概略平面図である。
　【図６】
　シンクの奥側の中央部にベースを備えその左右に膨出部を設けた例の斜視図である。
　【図７】
　図６の例の概略平面図である。
　【図８】
　シンクの従来例であって、同図の（ａ）はその斜視図、同図の（ｂ）は水栓及び排水口の位置を示すた目の概略平面図である。
　【図９】
　従来例における排水管のキャビネット内での配管を示す概略縦断面図である。
　【符号の説明】
　１　：キャビネット
　２　：カウンター
　３　：シンク
　３ａ：排水口
　３ｂ：排水管
　４　：水栓
　４ａ：スパウト
　５　：ベース
　５ａ：立上げ壁
　６　：膨出部
　７　：ディスペンサ